(57)【要約】【課題】  入力子で各種入力を行うタッチパネルを備えた電子機器に、入力動作の合間に行われる動作に現れるユーザの心理状態に応じた処理を行わせる。【解決手段】  入力子と、その入力子の位置またはその指し示す方向を検出する検出手段と、を備えた電子機器に、入力子の移動軌跡を表す移動軌跡データとその移動軌跡に対応した処理内容を表す処理内容データとを記憶させておく。そして、上記検出手段による検出結果の時間変化に基づいて上記入力子の移動軌跡を特定させ、その特定結果が、入力動作の移動軌跡であるか否かを判定させ、その判定結果が否定的である場合には、その特定結果に対応した移動軌跡を表す移動軌跡データが記憶されているか否かをさらに判定させ、その判定結果が肯定的である場合に、その移動軌跡データに対応付けて記憶している処理内容データの表す処理を実行させる。【選択図】      図１
2006172222.tif 000002
【特許請求の範囲】
【請求項１】
入力子と、
前記入力子の移動軌跡を表す移動軌跡データと、前記移動軌跡データに対応した処理内容を表す処理内容データと、の組が複数書き込まれた記憶手段と、
前記入力子の位置またはその指し示す方向を検出する検出手段と、
前記検出手段による検出結果の時間変化を解析して前記入力子の移動軌跡を特定する特定手段と、
前記特定手段により特定された移動軌跡が、データまたはコマンドの入力を表す所定の移動軌跡であるか否かを判定する第１の判定手段と、
前記特定手段により特定された移動軌跡が前記所定の移動軌跡ではないと前記第１の判定手段により判定された場合に、その移動軌跡を表す移動軌跡データが前記記憶手段に記憶されているか否かを判定する第２の判定手段と、
前記特定手段により特定された移動軌跡を表す移動軌跡データが前記記憶手段に記憶されていると前記第２の判定手段により判定された場合に、その移動軌跡データに対応付けて前記記憶手段に記憶されている処理内容データの表す処理を実行する処理実行手段と
を有する電子機器。
【請求項２】
前記記憶手段に記憶されている移動軌跡データは、その移動軌跡データの表す移動軌跡に対応する曲線または直線の特徴を表すデータであり、
前記特定手段は、
前記検出手段による検出結果の時間変化を解析して前記入力子の移動軌跡に対応する曲線または直線の特徴を特定し、
前記第１の判定手段は、
前記特定手段により特定された特徴と前記所定の移動軌跡に対応する曲線または直線の特徴とが一致または類似しているか否かを判定する
ことを特徴とする請求項１に記載の電子機器。
【請求項３】
ユーザの指示に応じて、前記移動軌跡データと前記処理内容データとを前記記憶手段へ書き込む書き込み手段を備える
ことを特徴とする請求項１に記載の電子機器。
【請求項４】
前記入力子は、
磁場を発する磁場発生部を有しており、
前記検出手段は、
互いに異なる位置に配置された少なくとも３つの磁気センサを備え、前記磁場発生部の発する磁場の強さまたは方向をそれら磁気センサの各々によって計測し、前記入力子の位置またはその指し示す方向を特定する
ことを特徴とする請求項１に記載の電子機器。
【発明の詳細な説明】
【技術分野】
【０００１】
本発明は、入力子で各種入力を行うタッチパネルを備えた電子機器に関する。
【背景技術】
【０００２】
例えば、ＰＤＡ（Personal Digital Assistant）やノート型パソコンなどの電子機器へ各種入力を行うための入力装置として、マウスやキーボードが普及している。また、これら入力装置に備えられているボタンなどの操作子の操作速度や、その入力装置全体をユーザが握っている握力などに基づいてそのユーザの心理状態を検出し、その検出結果に応じた処理を電子機器に行わせる技術も種々提案されている（例えば、特許文献１、２）。
また、タッチパネルを入力装置として用いている場合に、そのタッチパネルに対して入力を行った際の筆圧に基づいてその入力を行ったユーザの心理状態を認識する技術も提案されている（例えば、特許文献３）。なお、タッチパネルとは、データやコマンドなどの入力を促すためのＧＵＩ（Graphical user interface）をＬＣＤ（Liquid Crystal Display）などの表示部に表示させるとともに、そのＧＵＩに表示されたデータやコマンドをペン型のスタイラスなどの入力子で選択させて各種入力を行わせるものであり、キー入力に慣れていないユーザにとっても利用し易いものである。
【特許文献１】特開平７−１４１０９６号公報
【特許文献２】特開２００１−３４４１０号公報
【特許文献３】特開平７−３２５６５８号公報
【発明の開示】
【発明が解決しようとする課題】
【０００３】
ところで、上述の如きタッチパネルに対して各種入力を行う際には、その入力動作の合間にユーザが無意識に行う動作に、そのユーザの心理状態が顕著に現れている場合がある。例えば、ユーザは、苛立っているときには、入力子を逆さまにして表示部を小刻みに叩いたり、退屈しているときには、入力子を指先でくるくる廻したりするなどの特定の動作を行う場合がある。しかしながら、特許文献１や２、３に開示された技術を用いたとしても、上述の如き特定の動作に現れているユーザの心裡状態を電子機器に検出させることはできない。
【０００４】
本発明は、上記課題に鑑みて為されたものであり、入力子で各種入力を行うタッチパネルを備えた電子機器に、その入力子を用いて入力動作の合間に行われる動作に基づいてユーザの心理状態を検出させるとともに、その心裡状態に応じた処理を行わせることを可能にする技術を提供することを目的としている。
【課題を解決するための手段】
【０００５】
上記課題を解決するために、本発明は、入力子と、前記入力子の移動軌跡を表す移動軌跡データと、移動軌跡毎の前記移動軌跡データに対応した処理内容を表す処理内容データと、の組が複数書き込まれた記憶手段と、前記入力子の位置またはその指し示す方向を検出する検出手段と、前記検出手段による検出結果の時間変化を解析して前記入力子の移動軌跡を特定する特定手段と、前記特定手段により特定された移動軌跡が、データまたはコマンドの入力を表す所定の移動軌跡であるか否かを判定する第１の判定手段と、前記特定手段により特定された移動軌跡が前記所定の移動軌跡ではないと前記第１の判定手段により判定された場合に、その移動軌跡を表す移動軌跡データが前記記憶手段に記憶されているか否かを判定する第２の判定手段と、前記特定手段により特定された移動軌跡を表す移動軌跡データが前記記憶手段に記憶されていると前記第２の判定手段により判定された場合に、その移動軌跡データに対応付けて前記記憶手段に記憶されている処理内容データの表す処理を実行する処理実行手段とを有する電子機器を提供する。
このような電子機器によれば、ユーザが入力動作の合間にその心理状態に応じて行う動作にて上記入力子が描く移動軌跡を表す移動軌跡データと、その心理状態を緩和するなどその心理状態に応じた処理内容を表す処理内容データと、を対応付けて上記記憶手段に書き込んでおけば、入力動作の合間に行われる動作に現れているユーザの心理状態に応じた処理が実行される。
【０００６】
より好ましい態様においては、前記記憶手段に記憶されている移動軌跡データは、その移動軌跡データの表す移動軌跡に対応する曲線または直線の特徴を表すデータであり、前記特定手段は、前記検出手段による検出結果の時間変化を解析して前記入力子の移動軌跡に対応する曲線または直線の特徴を特定し、前記第１の判定手段は、前記特定手段により特定された特徴と前記所定の移動軌跡に対応する曲線または直線の特徴とが一致または類似しているか否かを判定することを特徴とする。このような態様にあっては、上記入力子の描く移動軌跡に対応する曲線または直線の特徴に基づいて、上記処理実行手段に実行させるべき処理が決定される。
【０００７】
より好ましい態様においては、ユーザの指示に応じて、前記移動軌跡データと前記処理内容データとを前記記憶手段へ書き込む書き込み手段を備えることを特徴とする。このような態様にあっては、ユーザは各自の癖に応じた動作を表す移動軌跡データと、その動作が検出された場合に実行するべき処理を表す処理内容データとを上記記憶手段に書き込んでおくことが可能になる。
【０００８】
より好ましい態様においては、前記入力子は、磁場を発する磁場発生部を有しており、前記検出手段は、互いに異なる位置に配置された少なくとも３つの磁気センサを備え、前記磁場発生部の発する磁場の強さまたは方向をそれら磁気センサの各々によって計測し、前記入力子の位置またはその指し示す方向を特定することを特徴とする。
【発明の効果】
【０００９】
本発明によれば、入力子で各種入力を行うタッチパネルを備えた電子機器に、入力動作の合間に行われる動作に基づいてユーザの心理状態を検出させ、その心裡状態に応じた処理を行わせることが可能になる、といった効果を奏する。
【発明を実施するための最良の形態】
【００１０】
以下、本発明を実施するための最良の形態について図面を参照しつつ説明する。
（Ａ．構成）
図１は、本発明の１実施形態に係る電子機器１０の斜視図である。
この電子機器１０は、例えばＰＤＡであり、図１に示すように、例えばＬＣＤなどを矩形のパネル状に形成してなる表示部１１０が上面に載置された本体１００と、表示部１１０に表示されるデータやコマンドを選択するための入力子２００とを備えている。なお、本実施形態では、電子機器１０がＰＤＡである場合について説明するが、携帯電話機やノート型パソコンであっても良く、また、デスクトップ型パソコンなどであっても良い。要は、入力子を用いてデータやコマンドの入力を行うタッチパネルを備えた電子機器であれば良い。
【００１１】
図１に示すように、入力子２００は、例えばペン型に形成されたスタイラスであり、磁場発生部２１０を有している。本実施形態では、磁場発生部２１０として、例えば棒状に形成された永久磁石が入力子２００の軸方向に沿うように入力子２００の内部に埋め込まれている。一方、本体１００には、表示部１１０の四隅に対応する位置に磁気センサ１２０ａ、１２０ｂ、１２０ｃおよび１２０ｄが夫々１つづつ埋め込まれている。なお、以下では、磁気センサ１２０ａ、１２０ｂ、１２０ｃおよび１２０ｄの各々を区別する必要がない場合には、「磁気センサ１２０」と表記する。この磁気センサ１２０は、磁場発生部２１０が発する磁場の強さや方向を計測し、その計測結果に基づいて表示部１１０に対する入力子２００の３次元位置やその指し示す方向を検出する検出手段として機能するものである。
なお、本実施形態では、表示部１１０の四隅に対応する位置に埋め込まれている４個の磁気センサ１２０で入力子２００の３次元位置やその指し示す方向を検出する場合について説明するが、上記磁気センサの数は４に限定されるものではなく、また、埋め込まれる位置も表示部１１０の四隅に対応する位置に限定されるものではない。要は、３個以上の磁気センサを本体１００の互いに異なる位置に埋め込んでおく態様であれば良い。何故ならば、少なくとも３個の磁気センサを本体１００の互いに異なる位置に埋め込んでおけば、３点測量の原理で本体１００に対する入力子２００の３次元位置やその指し示す方向を検出することができるからである。また、本実施形態では、入力子２００に埋め込まれている磁場発生部２１０が永久磁石である場合について説明するが、電磁石であっても良いことは勿論である。
【００１２】
次いで、図２を参照しつつ、電子機器１０の電気的な構成について説明する。
図２は、電子機器１０の電気的な構成の一例を表すブロック図である。 図２に示すように、電子機器１０は、制御部１３０と、インタフェイス部１４０と、記憶部１５０と、これら構成要素間のデータ授受を仲介するバス１６０と、を含んでいる。
制御部１３０は、例えばＣＰＵ（Central Processing Unit）であり、記憶部１５０に格納されているソフトウェアにしたがって電子機器１０の各部を中枢的に制御するものである。インタフェイス部１４０は、表示部１１０や磁気センサ１２０を接続し、これら表示部１１０や磁気センサ１２０と制御部１３０との間のデータ授受を仲介するためのものである。より詳細に説明すると、インタフェイス部１４０は、制御部１３０から引渡された画像データを表示部１１０へ引渡し、その画像データに応じた画像（例えば、各種入力を促すためのＧＵＩ画面に対応する画像）を表示させる一方、入力子２００の３次元位置を表すデータやその指し示す方向を表すデータを磁気センサ１２０から受け取り、それらのデータを制御部１３０へ引渡す。
記憶部１５０は、図２に示すように、揮発性記憶部１５０ａと不揮発性記憶部１５０ｂとを含んでいる。揮発性記憶部１５０ａは、例えばＲＡＭ（Random Access Memory）であり、各種ソフトウェアにしたがって作動している制御部１３０によってワークエリアとして利用される。一方、不揮発性記憶部１５０ｂは、例えばハードディスクであり、本発明に係る電子機器に特有な機能を制御部１３０に実現させるためのデータやソフトウェアを格納しておくためのものである。以下、不揮発性記憶部１５０ｂに格納されているデータおよびソフトウェアについて説明する。
【００１３】
不揮発性記憶部１５０ｂに格納されているデータの一例としては、図３に示すカスタマイズテーブルが挙げられる。図３に示すように、このカスタマイズテーブルには、移動軌跡データと処理内容データとの２種類のデータが互いに対応付けられて書き込まれている。ここで、移動軌跡データとは、入力子２００の３次元位置やその指し示す方向の時間変化（以下、「移動軌跡」とも呼ぶ）を表すデータである。本実施形態では、電子機器１０のユーザがデータやコマンドなどの入力動作の合間にその心理状態に応じて行われる動作にて入力子２００が描く曲線や直線の特徴（例えば、その曲線の曲率半径やその直線の方向余弦など）を表すデータ（以下、「特徴量データ」）が上記移動軌跡データとして上記カスタマイズテーブルに格納されている。一方、処理内容データは、その処理内容データに対応付けられている移動軌跡データの表す移動軌跡に現れている心理状態に応じた処理を表すデータである。具体的には、本実施形態では、上記処理内容データとして、その処理内容データに対応付けられている移動軌跡データの表すユーザの心理状態を緩和するメッセージを表示部１１０に表示させる処理を表すデータが上記カスタマイズテーブルに格納されている。
例えば、ユーザが苛立っていることを表す移動軌跡データ（ユーザが入力子２００を逆さまにして本体１００を小刻みに叩いている際に、その入力子２００が描く移動軌跡を表す移動軌跡データ）には、「ユーザに休憩を取ることを促す旨のメッセージを表示部１１０に表示させる処理」を表す処理内容データが対応付けられている。また、ユーザが退屈していることを表す移動軌跡データ（ユーザが入力子２００を指先でくるくる廻している際に、その入力子２００が描く移動軌跡を表す移動軌跡データ）には、「ユーザに集中することを促す旨のメッセージを表示部１１０に表示させる処理」を表す処理内容データが対応付けられている。詳細については後述するが、このカスタマイズテーブルの格納内容は、データやコマンドの入力動作の合間に行われた動作に現れているユーザの心理状態に応じた処理（本実施形態では、ユーザの心理状態を緩和する内容のメッセージを表示させる処理）を制御部１３０に実行させる際に利用される。また、不揮発性記憶部１５０ｂには、上記カスタマイズテーブルの他に、データやコマンドなどの入力動作にて入力子２００が描く所定の移動軌跡の特徴を表す特徴量データ（以下、「所定軌跡データ」と呼ぶ）が予め格納されている。この所定軌跡データは、入力子２００が描いた移動軌跡が入力動作によるものであるか否かを制御部１３０に判別させる際に利用される。
【００１４】
一方、不揮発性記憶部１５０ｂに格納されているソフトウェアの一例としては、オペレーティングシステム（以下、「ＯＳ」）を制御部１３０に実現させるためのＯＳソフトウェアと、電子機器１０を利用しているユーザの心理状態に応じた処理を制御部１３０に実行させるための処理実行ソフトウェアとが挙げられる。以下、これらソフトウェアにしたがって作動している制御部１３０に付与される機能について説明する。
電子機器１０の電源（図示省略）が投入されると、制御部１３０は、まず、ＯＳソフトウェアを不揮発性記憶部１５０ｂから読み出し、これを実行する。このＯＳソフトウェアにしたがって作動している制御部１３０には、電子機器１０の各部を制御する機能、時間の経過を計測する計時機能、ユーザの指示などに応じて他のソフトウェアを不揮発性記憶部１５０ｂから読み出し実行する機能などが付与される。本実施形態では、制御部１３０は、ＯＳソフトウェアの実行を完了しＯＳを実現している状態になると即座に、処理実行ソフトウェアを不揮発性記憶部１５０ｂから読み出し、これを実行する。この処理実行ソフトウェアにしたがって作動している制御部１３０には、以下に述べる４つの機能が付与される。
第１に、磁気センサ１２０により検出された入力子２００の３次元位置やその指し示す方向の時間変化を解析して、その入力子２００の移動軌跡を特定する特定機能である。
第２に、上記特定機能により特定された移動軌跡が、例えば、ダイアログ表示された“Ｙｅｓ”または“Ｎｏ”の選択やアイコンのクリックなどの入力動作にて入力子２００が描く所定の移動軌跡であるか否かを判定する第１の判定機能である。
第３に、上記特定機能により特定された移動軌跡が上記所定の移動軌跡ではないと上記第１の判定機能により判定された場合に、その移動軌跡を表す移動軌跡データが上記カスタマイズテーブルに格納されているか否かを判定する第２の判定機能である。
そして、第４に、上記特定機能により特定された移動軌跡を表す移動軌跡データがカスタマイズテーブルに格納されていると上記第２の判定機能により判定された場合に、その移動軌跡データに対応付けて上記カスタマイズテーブルに格納されている処理内容データの表す処理を実行する処理実行機能である。
【００１５】
このような構成としたため、本実施形態に係る電子機器１０によれば、ユーザが入力子２００を用いてデータやコマンドの入力を行っている場合に、その入力動作の合間に行われた動作に現れている心理状態に応じたメッセージが表示部１１０に表示される。これにより、例えば、ユーザが苛立っている場合や、退屈している場合には、その心理状態を緩和するメッセージが表示部１１０に表示され、その苛立ちや退屈を緩和することが可能になる。
なお、本実施形態では、電子機器１０が一般的なコンピュータ装置と同一の構成を有し、本発明に係る電子機器に特徴的な４つの機能がソフトウェアモジュールで実現される場合について説明したが、これら各機能を担っているハードウェアモジュールを組み合わせて本発明に係る電子機器を構成するとしても良いことは勿論である。具体的には、ユーザに各種入力操作を行わせるための入力子２００や、その入力子２００の３次元位置やその指し示す方向を検出するための検出手段（本実施形態では、磁気センサ１２０）の他に、上記特定機能を担っている特定手段、上記第１の判定機能を担っている第１の判定手段、上記第２の判定機能を担っている第２の判定手段および上記処理実行機能を担っている処理実行手段を組み合わせて本発明に係る電子機器を構成するとしても勿論良い。
【００１６】
（Ｂ：動作）
次いで、本実施形態に係る電子機器１０が行う動作のうち、その特徴を顕著に示す動作について図面を参照しつつ説明する。
図４は、電子機器１０の制御部１３０が処理実行ソフトウェアにしたがって行う処理実行動作の流れを示すフローチャートである。図４に示すように制御部１３０は、まず、磁気センサ１２０によって検出された入力子２００の３次元位置やその指し示す方向に基づいて、入力子２００の移動軌跡を特定する（ステップＳＡ１）。具体的には、制御部１３００は、インタフェイス部１４０を介して磁気センサ１２０から引渡された入力子２００の３次元位置を表すデータや入力子２００の指し示す方向を表すデータを所定の時間間隔で揮発性記憶部１５０ａへ書き込み、入力子２００の３次元位置の時間変化やその指し示す方向の時間変化を記録する。そして、制御部１３０は、揮発性記憶部１５０ａに書き込まれたデータを例えば最小２乗法などにより解析して入力子２００が描く移動軌跡を表す曲線や直線を特定し、その曲線や直線の特徴を表す特徴量データを生成する。
【００１７】
次いで、制御部１３０は、ステップＳＡ１にて特定された移動軌跡が、データやコマンドの入力動作を表す所定の移動軌跡であるか否かを判定する（ステップＳＡ２）。具体的には、制御部１３０は、ステップＳＡ１にて生成した特徴量データと、不揮発性記憶部１５０ｂに格納されている所定軌跡データの各々とを比較し、両者が一致または類似している場合に、その特徴量データの表す移動軌跡は上記所定の移動軌跡であると判定する。なお、ステップＳＡ１にて生成された特徴量データと所定軌跡データとが類似しているとは、両者の差が所定の範囲内の値であること、である。
ステップＳＡ２の判定結果が“Ｙｅｓ”である場合には、制御部１３０は、ステップＳＡ１にて特定された移動軌跡に対応する入力処理（すなわち、データやコマンドの入力）を行う（ステップＳＡ３）。逆に、ステップＳＡ２の判定結果が“Ｎｏ”である場合には、制御部１３０は、ステップＳＡ１にて特定された移動軌跡は、入力動作の合間に行われた動作にて入力子２００が描いた移動軌跡であるとして、その移動軌跡を表す移動軌跡データがカスタマイズテーブル（図３参照）に格納されているか否かを判定する（ステップＳＡ４）。具体的には、制御部１３０は、ステップＳＡ１にて生成した特徴量データとカスタマイズテーブルに格納されている各移動軌跡データとを比較し、両者が一致または類似している場合に、ステップＳＡ１にて特定された移動軌跡を表す移動軌跡データがカスタマイズテーブルに格納されていると判定する。
そして、制御部１３０は、ステップＳＡ４の判定結果が“Ｙｅｓ”である場合に、該当する移動軌跡データ（すなわち、ステップＳＡ１にて特定された移動軌跡を表す移動軌跡データ）に対応付けてカスタマイズテーブルに格納されている処理内容データの表す処理を実行する（ステップＳＡ５）。
【００１８】
前述したように、本実施形態では、入力子２００を逆さまにして表示部１１０の表示面を小刻みに叩く動作にて入力子２００が描く移動軌跡を表す移動軌跡データには、ユーザに休憩を取ることを促すメッセージを表示部１１０に表示させる処理を表す処理内容データが対応付けられており、入力子２００をくるくる廻す動作にて入力子２００が描く移動軌跡を表す移動軌跡データには、ユーザに集中することを促すメッセージを表示部１１０に表示させる処理を表す処理内容データが対応付けられている。
このため、例えば、ユーザが苛立って入力子２００を逆さまにして表示部１１０の表示面を小刻みに叩いている場合には、ユーザに休憩を促すメッセージが表示部１１０に表示され、ユーザが作業に退屈して入力子２００を指先でくるくる廻している場合には、作業に集中することを促すメッセージが表示部１１０に表示される。これにより、ユーザが苛立ったり、退屈している場合に、その心理状態を緩和することが可能になる。
【００１９】
このように、本実施形態に係る電子機器１０によれば、ペン型の入力子を備えたタッチパネルで各種入力を行わせる状況下で、入力動作の合間に行われる動作に現れているユーザの心理状態に応じた処理を行うことが可能になる。
【００２０】
（Ｃ：変形）
以上、本発明の１実施形態について説明したが、以下に述べるような変形を加えても良いことは勿論である。
（Ｃ−１：変形例１）
上述した実施形態では、入力子２００の移動軌跡（３次元位置やその指し示す方向の時間変化）に基づいて、その入力子２００を用いて入力動作を行っているユーザの心理状態を検出し、その心理状態に応じた処理を行う場合について説明した。しかしながら、上記移動軌跡の他に、その移動速度を加味してユーザの心理状態を検出するとしても良い。これは、例えば、苛立ちの度合いが悪化するほど、入力子の移動速度が早くなるなど、その移動速度にもユーザの心理状態が現れるからである。このようなことは、例えば、同一の移動軌跡を表す複数の移動軌跡データの各々に、互いに異なる移動速度を表すデータ（移動速度データ）を対応付けておくとともに、それら移動軌跡データと移動速度データとの組に夫々固有の処理内容データを対応付けておけば良い。このようにすると、同一の心理状態であってもその度合いに応じて多様な処理を電子機器１０に実行させることが可能になる。
また、上述した移動速度の他に、ユーザの発汗度合いや入力を行った際の筆圧などを加味してユーザの心理状態やその度合いを検出するとしても勿論良い。具体的には、入力子２００にその周囲の湿度を計測する湿度センサを設けておき、その湿度センサの検出結果に応じてユーザの発汗度合いを計測するようにしても良く、また、表示部１１０にシート状に形成された透明な圧力センサを載置し、その圧力センサによってユーザの筆圧を検出するようにすれば良い。そして、ある心理状態にあると推定されるユーザの発汗度合いや筆圧を表すデータを、その心理状態に応じた移動軌跡データやその心理状態に応じた処理を表す処理内容データに対応付けてカスタマイズテーブルに格納しておけば良い。
【００２１】
（Ｃ−２：変形例２）
上述した実施形態では、ユーザの心理状態に応じた入力子２００の動作を表す移動軌跡データとその心理状態に応じた処理を表す処理内容データとが予めカスタマイズテーブルに格納されている場合について説明した。しかしながら、電子機器１０の利用を開始する前に、各ユーザに自身の癖に応じた動作の際に入力子２００が描く移動軌跡を表す移動軌跡データと、その癖が現れた場合に実行するべき処理を表す処理内容データとをカスタマイズテーブルに格納させるようにしても良い。このようなことは、上述した実施形態に係る電子機器に、ユーザの指示に応じて、前記移動軌跡データと前記処理内容データとを前記記憶手段へ書き込む書き込み手段を設けておくことにより実現される。このようにすると、各ユーザの癖に応じた処理を電子機器１０に行わせることが可能になるといった効果を奏する。
【００２２】
（Ｃ−３：変形例３）
上述した実施形態では、入力子２００が描いた移動軌跡の特徴に基づいて、その移動軌跡が入力動作を表す所定の移動軌跡であるのか、それとも、ユーザの心理状態に応じた動作の移動軌跡であるのか、を制御部１３０に判別させる場合について説明した。このように移動軌跡の特徴を用いる理由は、表示部１１０に対する移動軌跡の相対位置によらずに、上記判別を制御部１３０に実行させるためであるが、移動軌跡そのものに基づいて、その移動軌跡の表すユーザの心理状態に応じた処理を制御部１３０に実行させるとしても良いことは勿論である。このようなことは、処理内容データに対応付けてカスタマイズテーブルに格納しておく移動軌跡データとして、入力子２００の３次元位置やその指し示す方向の時間変化を表すデータを用い、磁気センサ１２０により検出された入力子２００の三次元位置やその指し示す方向の時間変化と上記移動軌跡データとを比較して、実行するべき処理を決定させるようにすれば良い。
【００２３】
（Ｃ−４：変形例４）
上述した実施形態では、入力子２００の移動軌跡に現れているユーザの心理状態を緩和するメッセージを表示する処理を電子機器１０に実行させる場合について説明した。しかしながら、電子機器１０に実行させる処理の内容は、ユーザの心理状態の緩和を目的とするものに限定されず、ユーザの作業意欲を増進させるような内容であっても良い。要は、ユーザの心理状態に応じたメッセージを表示させる処理であれば、そのメッセージの内容は問わない。
また、上述した実施形態では、ユーザの心理状態に応じたメッセージを表示する処理を電子機器１０に実行させる場合について説明したが、その様なメッセージを音声で出力する処理を電子機器１０に実行させるとしても良く、また、ユーザの心理状態に応じたＢＧＭ（Back Ground Music）を奏でる処理を電子機器１０に実行させるようにしても良い。要は、ユーザの心理状態に応じた処理であれば、どのような処理であっても良い。
【００２４】
（Ｃ−５：変形例５）
上述した実施形態では、入力子２００に埋め込まれている磁場発生部２１０の発する磁場の強さおよび方向を磁気センサ１２０で検出し、入力子２００の移動軌跡を特定する磁気センサ式のタッチパネルについて説明したが、入力子２００の移動軌跡を特定することができるタッチパネルであれば、他の方式のタッチパネルであっても良いことは勿論である。
【００２５】
（Ｃ−６：変形例６）
上述した実施形態では、本発明に係る電子機器に特有な機能を制御部１３０に実現させるためのソフトウェアが不揮発性記憶部１５０ｂに予め格納されている場合について説明した。しかしながら、例えば、ＣＤ−ＲＯＭ（Compact Disk-Read Only Memory）やＤＶＤ（Digital Versatile Disk）などのコンピュータ装置読み取り可能な記録媒体に上記ソフトウェアを記録しておき、この記録媒体を用いて、磁気センサ式のタッチパネルを備えたコンピュータ装置に上記ソフトウェアをインストールし本発明に係る電子機器と同一の機能を付与するとしても勿論良い。
【図面の簡単な説明】
【００２６】
【図１】本発明の第１実施形態に係る電子機器１０の斜視図である。
【図２】同電子機器１０のハードウェア構成の一例を示す図である。
【図３】同電子機器１０の不揮発性記憶部１５０ｂに格納されているカスタマイズテーブルの一例を示す図である。
【図４】同電子機器１０の制御部１３０が行う処理実行動作の流れを示すフローチャートである。
【符号の説明】
【００２７】
１０…電子機器、１００…本体、１１０…表示部、１２０，１２０ａ，１２０ｂ，１２０ｃ，１２０ｄ…磁気センサ、１３０…制御部、１４０…インタフェイス部、１５０…記憶部、１５０ａ…揮発性記憶部、１５０ｂ…不揮発性記憶部、１６０…バス、２００…入力子、２１０…磁場発生部。
【図１】
2006172222.tif 000003
【図２】
2006172222.tif 000004
【図３】
2006172222.tif 000005
【図４】
2006172222.tif 000006